(57)【要約】      （修正有）【課題】トイレットペーパーの先端を片手で簡単につかんで引張り出し、その片手だけで簡単にかつ完全に必要長さをカットできるとともに、構造の簡単なトイレットペーパーホルダーを提供する。【解決手段】トイレットペーパーホルダー全体を保持するベース３を有し、ベース３の片側面にはトイレットペーパー１の回転軸２を差し込み保持する穴を有する架台を左右対称に取り付け、トイレットペーパー１の先端がベース３側でかつ下側へ向くように回転軸２をその架台の穴へ差し込み、ベース３の同面底部へ左右対称に取り付けた軸受８を中心にして回転する機構を有する、ペーパー回転防止具７およびペーパーカッター６を備えるペーパーカット板５を具備し、ペーパーカット板５は保持板９で一定角度で保持し、ベース３の同面上部へ設けた軸受１１を中心にして回転するカバー１０を設けた。【選択図】図２
0003215927.tif 000002
【実用新案登録請求の範囲】
【請求項１】
トイレットペーパーホルダー全体を保持するベース３を有し、ベース３の片面へ、トイレットペーパー１の回転軸２を差し込み保持する、穴４Ａを有する架台４を、左右対称に固定して設け、ベース３底部へ左右対称に固定して軸受８を設け、その軸受８を中心にして回転する機構を有する、ペーパー回転防止具７およびペーパーカッター６を備えるとともに空間部５Ａを設けたペーパーカット板５を具備し、ペーパーカット板５を一定角度で保持する保持板９を左右対称に設け、ベース３の上部へ左右対称に設けたカバー用軸受１１を中心にして回転するカバー１０を設けたことを特徴とするトイレットペーパーホルダー。
【考案の詳細な説明】
【技術分野】
【０００１】  本考案は、トイレットペーパーホルダーおいて、トイレットペーパーの先端部が背面底部に常時下向き状態で待機し、そのペーパー先端部を片手でつかみ且つその片手で簡単にカットできるトイレットペーパーホルダーに関するものである。
【背景技術】
【０００２】  トイレに設置されているトイレットペーパーホルダーは、ロール形トイレットペーパーをカットする場合には、上部のカバーを一方の手で持ち上げ他方の手でペーパーの先端をつかんで引き出し、一方の手で上部のカバーを押さえてトイレットペーパーの回転を止め、引き出したトイレットペーパーを他方の手でつかんでカバーの先端に押し当ててカットしたり、トイレットペーパーのミシン目をカットするなど、両手を使用しなければトイレットペーパーをカットすることが出来ないものが多く用いられている。
【先行技術文献】
【特許文献】
【０００３】  トイレットペーパーを片手でカットする技術には従来下記のような文献がある。
【特許文献１】「トイレットペーパーホルダー」特開２０１７−０７０７０１
【特許文献２】「ペーパーホルダー」特開２０１５−０７１０２３
【特許文献３】「トイレットペーパーホルダー」特開２０１０−２４６８６６
【特許文献４】「トイレットペーパーホルダー」特開２００２−０６５５０３
【特許文献５】「自動式トイレットペーパーホルダー」特開２００１−０２９２５８
【特許文献６】「トイレットペーパーホルダー」特開平０８−２８０５７７
【０００４】  しかし、特許文献１及び３に開示される内容は、ペーパーの取り出しおよびカットはできても構造が複雑で部品数が多く、本考案とは構造が全く異なる。特許文献２に開示される内容は、ペーパーのカット部を上に向けその防護板とバネを設けるなど部品数が多く、本考案とは構造が全く異なる。
また、特許文献４に開示される内容は、ペーパーのカッターにカバーを設けそれが容易に移動するため、安全上の保護としては不十分であり、更にカットした後のペーパーをつかみにくく、構造も本考案とは異なり、特許文献５に開示される内容は、電動の自動式であり構造が本考案とは全く異なり、特許文献６に開示される内容は、ペーパーの取り出しおよびカットはできるが、ペーパーの回転を固定する構造が異なるとともに、ペーパー径が小さくなった時の回転の固定が困難である。
【考案の概要】
【考案が解決しようとする課題】
【０００５】  上記のようにトイレットペーパーの先端を片手で簡単につかんで引張り出し、その片手だけで簡単にかつ完全に必要長さをカットできるトイレットペーパーホルダーを提供することを課題とする。
【課題を解決するための手段】
【０００６】  上記課題を解決するために、トイレットペーパーホルダー全体を保持するベース３を有し、ベース３の片面へ、トイレットペーパー１の回転軸２を差し込み保持する、切り欠き状の穴４Ａを有する架台４を、左右対称に固定して設け、ベース３底部へ左右対称に固定して軸受８を設け、その軸受８を中心にして回転する機構を有する、ペーパー回転防止具７およびペーパーカッター６を備えるとともに空間部５Ａを設けたペーパーカット板５を具備し、ペーパーカット板５を一定角度で保持する保持板９を左右対称に設け、ベース３の上部へ左右対称に設けたカバー用軸受１１を中心にして回転するカバー１０を設けたことを特徴とする。
【考案の効果】
【０００７】  本考案によるトイレットペーパーホルダーを使えば、構造及び機構が簡単で操作も簡単であり、一方の片手が不自由な場合や何か不測の理由のため両手が使用できない場合に、トイレットペーパーの先端を片手でつかみ、必要長さを引っ張り出してその片手だけでカットすることを、簡単で確実に行うことができる。
【図面の簡単な説明】
【０００８】
【図１】  トイレットペーパーホルダーの組立斜視図である。
【図２】  トイレットペーパーホルダーへトイレットペーパーを取り付けた側面図である。
【図３】  トイレットペーパーホルダーへトイレットペーパーを取り付けた正面図である。
【図４】  トイレットペーパーの回転軸正面図である。
【図５】  トイレットペーパーホルダーへトイレットペーパーを取り付けた組立斜視図である。
【図６】  トイレットペーパーの先端をカット部まで持ち上げた状態を表す側面図である。
【図７】  トイレットペーパーの先端を持ち上げ、ペーパー回転防止具をペーパー下面へ当て、引っ張り出したペーパーをカットする状態図である。
【考案を実施するための形態】
【０００９】  本考案の実施形態について図面に基づいて説明すれば、トイレットペーパーホルダー全体を保持するベース３を有し、ベース３の片面へトイレットペーパー１の回転軸２を差し込み保持する切り欠き状の穴４Ａを有する架台４を、左右対称に固定して設け、ベース３底部へ左右対称に固定して軸受８を設け、その軸受８を中心にして回転する機構を有する、ペーパー回転防止具７およびペーパーカッター６を備えるとともに空間部５Ａを設けたペーパーカット板５を具備し、ペーパーカット板５を一定角度で保持する保持板９を左右対称に設け、ベース３の上部へ左右対称に設けたカバー用軸受１１を中心にして回転するカバー１０を設けたものである。
【実施例】
【００１０】  本考案の実施例を図面に基づいて説明する。
図１はトイレットペーパーホルダーの組立斜視図を表し、ベース３、トレットペーパーを保持する架台４、トイレットペーパーをカットするペーパーカット板５、および上部のカバー１０から主に構成されている。【００１１】  次にトイレットペーパーホルダーの構成の説明をすると、ベース３はトイレットペーパーホルダーを構成する他のすべての構成品を保持するものであり、架台４には片側が斜め上側へ開いた切り欠き状の穴４Ａを設けてあり、トイレットペーパー１の回転軸２を穴４Ａへ差し込む構造となっている。穴４Ａを斜め上側へ開いた切り欠き状にしていることにより、回転軸２を取り付けたトイレットペーパーの架台４への取り付け取り外しが容易になるとともに、トイレットペーパーが架台４から容易には抜け落ちない効果がある。【００１２】  ペーパーカット板５には中央に空間部５Ａを空けてあり、トイレットペーパーの先端１Ａを下向きに通り抜けることができるようにしてあり、更に、カット板５の先端に下向きにペーパーカッター６を設けると共に、カット板５の前部上面にペーパー回転防止具７を設け、ペーパーカット板５はベース３の底部へ左右対称に固定して取り付けた軸受８を中心にして上下に回転する機構となっている。【００１３】  ベース３の上部へは、左右対称に設けたカバー用軸受１１を中心にして回転するカバー１０を設け、トイレットペーパー１の上面を埃などの付着から保護している。【００１４】  図２は、回転軸２を取り付けたトイレットペーパー１の先端１Ａがベース３側に向くように、ペーパー１を架台４の切り欠き状の穴４Ａに取り付け、ペーパーカット板５に空けられた空間部５Ａをトイレットペーパーの先端の１Ａを下向きに通して保持した状態を示している。【００１５】  トイレットペーパーをカットする機構を図６及び図７に基いて説明すると、図２において説明したベース３側の下向きに伸ばして準備されている、トイレットペーパーの先端１Ａを片手で引張り伸ばし、図６に示すように、必要な長さの箇所で先端１Ａをペーパーカッター６の部分で折り曲げるようにその同じ手で持ち上げ、図７に示すように、ペーパー回転防止具７がトイレットペーパーの下面に接するまで先端１Ａを持ち上げることにより、トイレットペーパーの回転を防止し、回転がしなくなったことを確認後その同じ手でトイレットペーパーをカットすることができる。【００１６】  以上のような構成及び機構であることから、トイレットペーパー１の先端１Ａがベース３側へ来るようにトイレットペーパーを取り付け、その先端１Ａをペーパーカット板５に空けられた空間部５Ａから下向きに通して垂らして置き、片手でその先端１Ａを引っ張り必要な長さの箇所で、ペーパーカット板５のカッター６を持ち上げてペーパー回転防止具７をトイレットペーパーの下面に接触させ、トイレットペーパーの回転を防止することにより、その同じ手でトイレットペーパーをカットすることができるため、非常に簡単な構造及び機構によって簡単に片手だけでトイレットペーパーを引っ張り出し必要な長さをカットすることが可能である。
【符号の説明】
【００１７】１  トイレットペーパー
１Ａ  トイレットペーパー先端
２  回転軸
３  ベース
４  架台
４Ａ  切り欠き状の穴
５  ペーパーカット板
５Ａ  空間部
６  ペーパーカッター
７  回転防止具
８  軸受
９  保持板
１０  カバー
１１  軸受
【図１】
0003215927.tif 000003
【図２】
0003215927.tif 000004
【図３】
0003215927.tif 000005
【図４】
0003215927.tif 000006
【図５】
0003215927.tif 000007
【図６】
0003215927.tif 000008
【図７】
0003215927.tif 000009